(57)【要約】【課題】画面上のＯＳＤ等の表示領域の位置制御を可能にする。【解決手段】画面位置制御スイッチ１１０ａを備える操作部１１０からの入力をメモリ部１２０に格納した表示位置制御プログラムで制御されるマイコン１３０で検出し、垂直／水平の位置調整等の画面位置調整に連動してオンスクリーンディスプレイ表示の基準位置を決める表示位置制御部１４０を制御してディスプレイ１５０にＯＳＤ表示を行う。【選択図】　図１
2004144773.tif 000002
【特許請求の範囲】
【請求項１】
画面上にオンスクリーンディスプレイ表示を行うＯＳＤ表示装置の表示位置制御方法において、画面位置調整による画面の移動量に連動してオンスクリーンディスプレイ表示の基準位置を同一位置に制御することを特徴とする表示位置制御方法。
【請求項２】
画面上に受信した文字情報の表示を行う表示装置の表示位置制御方法において、画面位置調整による画面の移動量に連動して文字放送表示の基準位置を同一位置に制御することを特徴とする表示位置制御方法。
【請求項３】
前記画面位置調整の移動量に代えて、画面サイズの変更量に連動して前記基準位置を同一位置に制御することを特徴とする請求項１または２記載の表示位置制御方法。
【発明の詳細な説明】
【０００１】
【発明の属する技術分野】
本発明は、画面上にＯＳＤ（オンスクリーンディスプレイ）表示等を行う際の表示位置制御方法に関するものである。
【０００２】
【従来の技術】
従来のディスプレイ装置において、垂直／水平位置調整等の画面位置調整は、これに連動するＯＳＤ表示領域とともに行われていた。
【０００３】
画面位置調整に係る技術は、例えば特許文献１に記載されている。
【０００４】
【特許文献１】
特開平７−２３２９１号公報
【０００５】
【発明が解決しようとする課題】
従って、画面位置調整を行うとＯＳＤ表示領域が画面表示領域からはみ出すことがあるため、画面位置調整範囲の最小値、最大値で画面内に収まるようにＯＳＤ表示領域を作成する必要があった。また、ＯＳＤ表示領域が画面上のある領域に偏ると、見栄えが悪くなるという問題があった。
【０００６】
本発明は上記事情に鑑みてなされたもので、画面上のＯＳＤ等の表示領域の位置制御が可能な位置制御方法を提供することを目的とする。
【０００７】
【課題を解決するための手段】
請求項１に係る発明は、画面上にオンスクリーンディスプレイ表示を行うＯＳＤ表示装置の表示位置制御方法において、画面位置調整による画面の移動量に連動してオンスクリーンディスプレイ表示の基準位置を同一位置に制御することを特徴とする。
【０００８】
請求項２に係る発明は、画面上に受信した文字情報の表示を行う表示装置の表示位置制御方法において、画面位置調整による画面の移動量に連動して文字放送表示の基準位置を同一位置に制御することを特徴とする。
【０００９】
上記構成によれば、画面位置調整による画面の移動量に連動して基準位置を同一位置に制御することで、ＯＳＤ表示領域や文字放送表示を一定の位置に制御することができる。
【００１０】
請求項３に係る発明は、請求項１または２記載の表示位置制御方法において、前記画面位置調整の移動量に代えて、画面サイズの変更量に連動して前記基準位置を同一位置に制御することを特徴とする請求項１または２記載の表示位置制御方法。
【００１１】
上記構成によれば、画面サイズの調整を行っても、画面サイズの変更量に連動した基準位置の制御により、ＯＳＤ表示領域や文字放送表示を一定の位置に制御することができる。
【００１２】
【発明の実施の形態】
以下、本発明の実施の形態について図面を参照しながら説明する。
図１は、本発明の表示位置制御方法を実施するための基本構成を示しており、画面位置制御スイッチ１１０ａを備える操作部１１０からの入力をメモリ部１２０に格納した表示位置制御プログラムで制御されるマイコン１３０で検出し、垂直／水平の位置調整等の画面位置調整に連動してオンスクリーンディスプレイ表示の基準位置を決める表示位置制御部１４０を制御してディスプレイ１５０にＯＳＤ表示を行う。
【００１３】
図２は上記表示位置制御プログラムによる表示位置制御の流れを示すフローチャートである。まず、ステップ２１０で画像位置調整スイッチ１１０ａが操作されたかどうかを判定し、画像位置調整スイッチ１１０ａが操作された場合にはステップ２２０に進む。ステップ２２０において、画像位置調整スイッチ１１０ａの操作に基づく画面の水平方向、垂直方向の移動量を算出する。
【００１４】
具体的には、図３に示すように、画像位置調整スイッチ１１０ａの操作によって現在の画面位置Ｐ１を画面位置Ｐ２に移動させると、画面位置Ｐ２は、基準となる画面表示位置Ｐｂａｓｅに対するＸ方向のオフセットＸｏｆｆｓｅｔが「＋１０」、Ｙ方向のオフセットＹｏｆｆｓｅｔが「−５」となり、Ｘ方向の画面位置調整情報Ｘａｄｊｕｓｔとして「＋１０」、Ｙ方向の画面位置情報Ｙａｄｊｕｓｔとして「−５」を保持する。
【００１５】
画像位置調整スイッチ１１０ａの操作に基づく画面の水平方向、垂直方向の移動量を算出した後、ステップＳ２３０において、水平方向、垂直方向の移動量に対し、ＯＳＤ表示の基準点が特定位置となるように表示位置補正データを算出する。具体的には、Ｘ方向のＯＳＤ表示位置補正データＯＳＤ（ｘ）ａｄｊｕｓｔ、Ｙ方向のＯＳＤ表示位置補正データＯＳＤ（ｙ）ａｄｊｕｓｔを以下の式により算出する。
【００１６】
ＯＳＤ（ｘ）ａｄｊｕｓｔ＝（Ｘ方向ＯＳＤ表示基準データ）＋Ｘａｄｊｕｓｔ
ＯＳＤ（ｙ）ａｄｊｕｓｔ＝（Ｙ方向ＯＳＤ表示基準データ）＋Ｙａｄｊｕｓｔ
【００１７】
一例として図４に画面位置３１０での計算結果を示す。図４に示されるように、Ｘ方向のＯＳＤ表示基準データが「３０」、Ｙ方向のＯＳＤ表示基準データが「３０」、Ｘ方向の画面位置調整情報Ｘａｄｊｕｓｔが上述したように「＋１０」、同じくＹ方向の画面位置情報Ｙａｄｊｕｓｔが「−５」であるので、ＯＳＤ表示位置補正データは、ＯＳＤ（ｘ）ａｄｊｕｓｔが「３０＋１０＝４０」、ＯＳＤ（ｙ）ａｄｊｕｓｔが「３０−５＝２５」となる。
【００１８】
次に、ステップ２４０で表示位置補正データＯＳＤ（ｘ）ａｄｊｕｓｔ、ＯＳＤ（ｙ）ａｄｊｕｓｔを用いてＯＳＤ表示位置を制御する。これにより、ディスプレイ１５０に画面位置調整の移動量に連動し、ＯＳＤ表示の基準位置を常に同一位置に制御することができる。具体的には、図５（ａ）に示すように、Ｐ３が補正前のＯＳＤ表示位置を示しており、図５（ｂ）に示すように、Ｐ４が補正後のＯＳＤ表示位置を示している。
【００１９】
本実施の形態によれば、画面位置調整スイッチを操作して水平、垂直の画面位置調整を行った場合、画面位置調整による画面の移動量に連動してＯＳＤ表示の基準位置が常に同一位置に制御される。したがって、常に一定の位置にＯＳＤ表示が可能となり、ＯＳＤ表示領域作成に制約を受けることがなく、また垂直や水平の位置調整等の画面位置調整を行うことで見栄えが悪くなるようなことがない。
【００２０】
なお、上記実施の形態では、画面位置調整による画面の移動量に連動してＯＳＤ表示の基準位置を常に同一位置に制御するようにしたが、画面位置調整に代わり、画面サイズの変更量に連動してＯＳＤ表示の基準位置を常に同一位置に制御するようにしても良い。
【００２１】
また、本実施の形態では、ＯＳＤ表示位置の制御を行うものであるが、文字放送を受信可能な場合には、画面位置調整による画面の移動量又は画面サイズの変更量に連動して文字放送表示の基準位置を常に同一位置に制御するようにしても良い。
【００２２】
【発明の効果】
以上説明したように本発明によれば、画面位置調整による画面の移動量に連動して基準位置を同一位置に制御することで、ＯＳＤ等の表示領域を一定の位置に制御することができる。
【図面の簡単な説明】
【図１】本発明の一実施の形態に係る表示位置制御方法を実施するための基本構成を示す図。
【図２】表示位置制御の流れを示すフローチャート。
【図３】画面位置制御の例を示す図。
【図４】表示位置補正データの算出結果を示す図。
【図５】（ａ）は表示位置制御前のＯＳＤ表示領域を示す図、（ｂ）は表示位置制御後のＯＳＤ表示領域を示す図。
【符号の説明】
１１０　操作部
１１０ａ　画面位置調整スイッチ
１３０　マイコン
１２０　メモリ部
１４０　表示制御部
１５０　ディスプレイ
【図１】
2004144773.tif 000003
【図２】
2004144773.tif 000004
【図３】
2004144773.tif 000005
【図４】
2004144773.tif 000006
【図５】
2004144773.tif 000007